(57)【要約】    【課題】      最適なメモリバンド幅と必要なメモリ量を調整することにより、メモリの容量が増大するのを防ぐとともにコストが増大することを防ぐこと。    【解決手段】  表示情報記憶部１０１は、１画面を構成する画像領域と表示形式とを関係付けた制御情報である表示情報を記憶している。表示データ出力制御部１０２は、表示情報記憶部１０１に記憶している表示情報を参照することにより表示させる画像の表示形式を認識し、認識した表示形式に基づいてメモリ１０３または表示データ生成部１０４の画像の出力先を制御する。表示データ生成部１０４は、表示データ出力制御部１０２の制御に基づいて、メモリ１０３から入力したソース画像を加工して表示データを生成し、生成した表示データをメモリ１０３または表示制御部１０５へ出力する。  【選択図】      図１
2006119544.tif 000002
【特許請求の範囲】
【請求項１】
画像データを記憶する記憶手段と、
前記記憶手段に記憶されている前記画像データを読み出して加工する表示データ生成手段と、
前記表示データ生成手段にて加工された前記画像データを前記記憶手段に記憶させた後に表示させる表示形式と、前記表示データ生成手段にて加工された前記画像データをそのまま表示させる表示形式とを選択する表示データ出力制御手段と、
前記表示データ出力制御手段にて選択された前記表示形式にて前記画像データを表示する表示手段と、
を具備することを特徴とする画像表示装置。
【請求項２】
前記表示データ出力制御手段は、前記表示データ生成手段にて加工されずに前記記憶手段に記憶されている前記画像データをそのまま表示する表示形式を選択することを特徴とする請求項１記載の画像表示装置。
【請求項３】
前記記憶手段は、１画面を構成する画像領域と前記表示形式とを関係付けた表示情報をあらかじめ記憶し、
前記表示データ出力制御手段は、表示する前記画像領域の情報を用いて前記表示情報を参照することにより前記表示形式を選択することを特徴とする請求項１または請求項２記載の画像表示装置。
【請求項４】
メモリに記憶されている画像データを読み出して加工するステップと、
加工された前記画像データを前記メモリに記憶させた後に表示させる表示形式と、加工された前記画像データをそのまま表示させる表示形式とを選択するステップと、
選択された前記表示形式にて前記画像データを表示するステップと、
を具備することを特徴とする画像表示方法。
【発明の詳細な説明】
【技術分野】
【０００１】
本発明は、画像表示装置及び画像表示方法に関し、例えば複数の画像を合成して表示する画像表示装置及び画像表示方法に関する。
【背景技術】
【０００２】
表示装置の大画面化に伴い、表示装置内にＲＡＭを有することがコスト増大の要因となっており、そのＲＡＭに蓄積する表示データを低価格なシステムメモリ上に配置し、表示装置へのリフレッシュレートで表示装置へデータを駆動するシステムが主流となりつつある。このような表示装置は、表示データ生成部にて、表示装置のリフレッシュレートに合せて、複数の画像領域を１面の表示データとして表示装置に転送している。表示データを転送する方法として、表示データ生成部にて表示データを一旦メモリ内で作成した上で表示装置へ転送する方法がある。この場合、メモリへのアクセス頻度が多くなるという問題が生じるため、表示データを別の経路にて確保できるメモリに配置することが考案されている（例えば、特許文献１）。
【特許文献１】特開２００２−６４６９７号公報
【発明の開示】
【発明が解決しようとする課題】
【０００３】
しかしながら、従来の装置においては、表示装置の大型化が進むにつれて別の経路にて確保できるメモリの容量が増大し、コストが増大するという問題がある。
【０００４】
本発明はかかる点に鑑みてなされたものであり、最適なメモリバンド幅と必要なメモリ量を調整することができることにより、メモリの容量が増大するのを防ぐことができるとともにコストが増大することを防ぐことができる画像表示装置及び画像表示方法を提供することを目的とする。
【課題を解決するための手段】
【０００５】
本発明の画像表示装置は、画像データを記憶する記憶手段と、前記記憶手段に記憶されている前記画像データを読み出して加工する表示データ生成手段と、前記表示データ生成手段にて加工された前記画像データを前記記憶手段に記憶させた後に表示させる表示形式と、前記表示データ生成手段にて加工された前記画像データをそのまま表示させる表示形式とを選択する表示データ出力制御手段と、前記表示データ出力制御手段にて選択された前記表示形式にて前記画像データを表示する表示手段と、を具備する構成を採る。
【０００６】
本発明の画像表示方法は、メモリに記憶されている画像データを読み出して加工するステップと、加工された前記画像データを前記メモリに記憶させた後に表示させる表示形式と、加工された前記画像データをそのまま表示させる表示形式とを選択するステップと、選択された前記表示形式にて前記画像データを表示するステップと、を具備するようにした。
【発明の効果】
【０００７】
本発明によれば、最適なメモリバンド幅と必要なメモリ量を調整することができることにより、メモリの容量が増大するのを防いで、コストの増加を抑制することができる。
【発明を実施するための最良の形態】
【０００８】
以下、本発明の実施の形態について、図面を参照して詳細に説明する。
【０００９】
（実施の形態）
図１は、本発明の実施の形態に係る画像表示装置１００の構成を示すブロック図である。
【００１０】
表示情報記憶部１０１は、１画面を構成する画像領域と表示形式とを関係付けた制御情報である表示情報を記憶している。表示情報記憶部１０１に記憶される表示情報は、各種ソース画像、画像領域の更新タイミング、または画像表示装置１００のリフレッシュタイミング等に同期して更新することが可能である。ここで、表示形式とは、表示部１０６に画像を表示する際の形式のことであり、例えば複数のソース画像を合成して表示する形式、ソース画像を拡大して表示する形式、ソース画像を縮小して表示する形式またはソース画像のフォーマットを変更して表示する形式等である。なお、表示情報の詳細は後述する。
【００１１】
表示データ出力制御部１０２は、表示する画像領域の情報を用いて、表示情報記憶部１０１に記憶している表示情報を参照することにより表示させる画像の表示形式を選択し、選択した表示形式に基づいてメモリ１０３または表示データ生成部１０４の画像の出力先を制御する。具体的には、表示データ出力制御部１０２は、ソース画像（画像データ）に加工を加える必要がある表示形式である場合には、メモリ１０３に記憶されているソース画像を読み出して表示データ生成部１０４に出力するように制御するとともに、表示データ生成部１０４にて加工後の画像が表示データ生成部１０４からメモリ１０３または表示制御部１０５へ出力するように制御する。また、表示データ出力制御部１０２は、ソース画像をそのまま表示する表示形式である場合には、メモリ１０３に記憶されているソース画像を読み出して、表示データ生成部１０４を経由せずに表示制御部１０５に出力するように制御する。
【００１２】
メモリ１０３は、所定のアドレスにソース画像を記憶しており、表示データ出力制御部１０２の制御に基づいて、記憶しているソース画像を表示データ生成部１０４または表示制御部１０５へ出力する。また、メモリ１０３は、表示データ生成部１０４から入力した加工後のソース画像である表示データを所定のアドレスに記憶する。
【００１３】
表示データ生成部１０４は、表示データ出力制御部１０２の制御に基づいて、メモリ１０３から読み出したソース画像を加工して表示データを生成し、生成した表示データをメモリ１０３または表示制御部１０５へ出力する。ここで、ソース画像に加えられる加工とは、複数のソース画像の合成、画像のフォーマットの変換または画像のサイズの変更等である。
【００１４】
表示制御部１０５は、表示データ生成部１０４から入力した表示データ、またはメモリ１０３から入力した表示データが表示できるように制御して表示部１０６へ出力する。
【００１５】
表示部１０６は、表示制御部１０５から入力した表示データの画像を表示する。
【００１６】
次に、画像表示装置１００の動作について、図２を用いて説明する。図２は、画像表示装置１００の動作を示すフロー図である。
【００１７】
最初に、画像表示装置１００は、表示データ出力制御部１０２にて表示情報記憶部１０１に記憶されている表示情報を参照する（ステップＳＴ２０１）。次に、表示データ出力制御部１０２は、表示情報より、ソース画像の加工が必要であるか否かを判定する（ステップＳＴ２０２）。
【００１８】
ソース画像の加工が必要な場合には、表示データ出力制御部１０２は、メモリ１０３に記憶されているソース画像を読み出して表示データ生成部１０４へ出力するように制御する（ステップＳＴ２０３）。次に、画像表示装置１００は、表示データ生成部１０４にて、ソース画像に対して加工を加え（ステップＳＴ２０４）、表示データを生成する。次に、画像表示装置１００は、表示データ出力制御部１０２にて、表示情報より、生成した表示データをメモリ１０３へ書き戻しするか否かを判定する（ステップＳＴ２０５）。
【００１９】
メモリ１０３へ書き戻しする場合には、表示データ出力制御部１０２は、表示データが表示データ生成部１０４からメモリ１０３に入力するように制御し、この結果、表示データがメモリ１０３へ記憶される（ステップＳＴ２０６）。次に、画像表示装置１００は、表示データ出力制御部１０２にて、リフレッシュレートに対応したアクセスタイミングにてメモリ１０３から表示データ、即ち加工したソース画像を読み出し（ステップＳＴ２０７）、表示部１０６にて表示データの画像を表示する（ステップＳＴ２０８）。
【００２０】
ステップＳＴ２０５において、メモリ１０３へ書き戻ししない場合には、表示データ出力制御部１０２は、表示データが表示データ生成部１０４から表示制御部１０５に入力するように制御し、この結果、表示部１０６にて表示データの画像が表示される（ステップＳＴ２０８）。
【００２１】
一方、ステップＳＴ２０２において、ソース画像の加工が必要でない場合には、表示データ出力制御部１０２は、メモリ１０３に記憶されているソース画像を読み出し（ステップＳＴ２０９）、読み出したソース画像が表示制御部１０５へ出力されるように制御し、この結果、表示部１０６にてソース画像が表示データの画像として表示される（ステップＳＴ２０８）。
【００２２】
次に、図３及び図４を用いて、画像表示装置１００のさらに詳細な動作について説明する。図３及び図４は、表示情報を示す図である。図３の表示情報は、１画面を構成する画像領域の領域番号、表示領域の範囲、表示するためのソースとなる画像、画像領域を生成した後にメモリ１０３へ書き戻すか否かの情報、メモリ１０３へ書き戻した場合のメモリ１０３上の開始アドレスと終了アドレス等の制御情報を含んでいる。また、図４の表示情報は、参照用に用いられるソース番号、ソース画像が存在するメモリ領域のアドレス、伝搬に関する情報、フォーマット変換に関する情報、ソース画像を各種変換後にメモリ１０３に書き込むか否かの情報、変換後のデータを書き戻す際のメモリ１０３上のアドレス等の制御情報が含まれている。
【００２３】
最初に、図３の画像領域１の場合について、図３及び図４を用いて説明する。画像領域１の場合には、ソース画像Ｓ０とソース画像Ｓ１のデータを元として、表示アドレス１から終了アドレス１までの領域をメモリ１０３へ書き戻し、ソース画像Ｓ０とソース画像Ｓ１のデータが変更されない限りメモリ１０３から画像領域１へ転送することを示している。即ち、画像領域１の場合には、表示データ出力制御部１０２は、ソース画像Ｓ０及びソース画像Ｓ１をメモリ１０３から読み出して表示データ生成部１０４へ出力されるように制御し、この結果、ソース画像Ｓ０とソース画像Ｓ１とは表示データ生成部１０４にて合成されて画像領域１の画像として生成される。その後、表示データ出力制御部１０２は、表示データ生成部１０４からメモリ１０３の開始アドレスＭ１から終了アドレスＭ１までの領域に、合成した画像を表示データとして書き戻し、画像表示装置１００のリフレッシュレートに対応したアクセスタイミングで、メモリ１０３に書き戻した表示データがメモリ１０３から表示制御部１０５へ出力されるように制御する。また、ソース画像Ｓ０は、ＹＵＶからＲＧＢのフォーマット変換が画像領域１を形成するためにソース番号Ｓ０を参照するごとに行われ、ソース画像Ｓ１は、画像領域１を形成するためにソース番号Ｓ１を参照するごとにメモリ１０３より読み出される。
【００２４】
次に、図３の画像領域２の場合について、図３及び図４を用いて説明する。画像領域２の場合には、Ｓ２をソース画像として、表示データ出力制御部１０２、画像表示装置１００のリフレッシュレートに合せて、メモリ１０３から直接表示制御部１０５へ転送することを示している。また、ソース画像Ｓ２は変化タイミング毎に２倍に拡大されて、メモリ１０３へ書き込まれる。即ち、ソース画像Ｓ２は、ソース画像Ｓ０の更新タイミング毎に表示データ生成部１０４にて拡大処理が行われてメモリ１０３に表示データとして記憶される。そして、表示データ出力制御部１０２は、画像表示装置１００のリフレッシュレートに合せてメモリ１０３から表示制御部１０５へ表示データを転送する。
【００２５】
このように、本実施の形態によれば、ソース画像を表示するまでの過程において、メモリ１０３を経由させる場合とメモリ１０３を経由させない場合とを選択することができるので、最適なメモリバンド幅と必要なメモリ量を調整することができることにより、メモリの容量が増大するのを防いで、コストの増加を抑制することができる。また、本実施の形態によれば、表示させるソース画像を加工後にメモリ１０３に蓄積する否かを、表示情報記憶部１０１の表示情報を参照するだけで判断できるので、簡単な処理にてソース画像をメモリ１０３を経由させるか否かを選択することができる。また、本実施の形態によれば、画像表示装置１００のリフレッシュレートに比べてソース画像の更新サイクルや画像領域の更新サイクルが遅い場合で、かつ表示するデータ量より表示するデータを作成するための画像データ量が多い場合は、メモリ１０３を経由することにより、メモリ１０３へのアクセス量を減らすことが可能となり、メモリ１０３で表示領域を十分に取れない場合や、ソース画像の更新タイミングが早い場合はメモリ１０３を経由せずに表示部１０６に表示データを転送することが可能となる。また、本実施の形態によれば、複数の画像領域を表示装置に表示させるシステムにおいて、画像領域ごとにメモリ１０３に記憶したソース画像を表示データとして表示部１０６に転送するか、またはメモリ１０３に記憶した複数のソース画像を変換または合成等して表示部１０６に転送するかを選択可能とすることにより、最適なメモリバンド幅と必要なメモリ量を調整することができる。
【００２６】
なお、本実施の形態において、表示情報記憶部１０１とメモリ１０３とを別に設けたが、これに限らず、表示情報、ソース画像及び表示データを一つのメモリに記憶領域を分けて記憶させるようにしても良い。また、本実施の形態において、表示データ出力制御部１０２は表示情報記憶部１０１に記憶されている表示情報を参照して出力先を制御するようにしたが、これに限らず、表示情報記憶部１０１を設けずに、表示データ出力制御部１０２があらかじめ決められた順序にて出力先を制御するようにしても良い。また、本実施の形態において、ソース画像や画像領域の個数を限定するものではなく、表示情報記憶部１０１に格納される表示情報も任意に設定することができる。また、表示データ生成部１０４はＣＰＵ、ＤＳＰまたは専用ハードウェア等の任意のものを適用することができる。
【産業上の利用可能性】
【００２７】
本発明にかかる画像表示装置及び画像表示方法は、最適なメモリバンド幅と必要なメモリ量を調整することができることにより、メモリの容量が増大するのを防ぐことができるとともにコストが増大することを防ぐ効果を有し、画像を表示するのに有用である。
【図面の簡単な説明】
【００２８】
【図１】本発明の実施の形態に係る画像表示装置の構成を示すブロック図
【図２】本発明の実施の形態に係る画像表示装置の動作を示すフロー図
【図３】本発明の実施の形態に係る表示情報を示す図
【図４】本発明の実施の形態に係る表示情報を示す図
【符号の説明】
【００２９】
１００  画像表示装置
１０１  表示情報記憶部
１０２  表示データ出力制御部
１０３  メモリ
１０４  表示データ生成部
１０５  表示制御部
１０６  表示部
【図１】
2006119544.tif 000003
【図２】
2006119544.tif 000004
【図３】
2006119544.tif 000005
【図４】
2006119544.tif 000006